(57)【要約】【課題】入出庫の待ち時間を低減することが可能な、駐車装置を開発することを課題とする。【解決手段】車両を格納する格納部１６を複数有していて複数の車両を収容することが可能な本体装置２と、本体装置の動作を制御する制御装置と、本体装置の近傍に設けられた操作盤（入力装置）３と、外部装置から送信された信号を受信する通信手段を有している。入力装置を操作して車両の入庫及び／又は出庫の要求を行う直接入力が可能であると共に、入力装置及び／又は外部装置から入庫及び／又は出庫の予約入力を行うことが可能である。前記予約入力に基づいて前記本体装置が入庫準備動作又は出庫準備動作を実行する駐車装置である。予約入力がなされた状態の際に前記直接入力がなされた場合には、前記予約入力に基づく順に優先して前記直接入力に対応する入庫準備動作又は出庫準備動作が実行される。【選択図】図１
2020193501.tif 000002
【特許請求の範囲】
【請求項１】
車両を格納する格納部を複数有していて複数の車両を収容することが可能な本体装置と、前記本体装置の動作を制御する制御装置と、前記本体装置の近傍に設けられた入力装置と、外部装置から送信された信号を受信する通信手段を有し、前記入力装置を操作して車両の入庫及び／又は出庫の要求を行う直接入力が可能であると共に、前記入力装置及び／又は前記外部装置から入庫及び／又は出庫の予約入力を行うことが可能であり、前記予約入力に基づいて前記本体装置が入庫準備動作又は出庫準備動作を実行する駐車装置であって、
前記予約入力がなされた状態の際に前記直接入力がなされた場合には、前記予約入力に基づく順に優先して前記直接入力に対応する入庫準備動作又は出庫準備動作が実行されることを特徴とする駐車装置。
【請求項２】
予約入力に基づく入庫準備動作又は出庫準備動作が開始された後に直接入力がなされた場合には、動作中の予約入力に基づく入庫準備動作又は出庫準備動作が完了した後に、直接入力に対応する入庫準備動作又は出庫準備動作が実行されることを特徴とする請求項１に記載の駐車装置。
【請求項３】
予約入力に基づいて行われる一連の工程が開始される前、及び／又は終了後に休止時間があり、直接入力がなされた場合には、前記休止時間の後に実行される予約入力に基づく工程を中断して直接入力に対応する入庫準備動作又は出庫準備動作が実行され、その後に、予約入力に基づく入庫準備動作又は出庫準備動作が再度実行されることを特徴とする請求項１又は２に記載の駐車装置。
【請求項４】
前記休止時間を調整可能であることを特徴とする請求項３に記載の駐車装置。
【請求項５】
車両を載置する車両載置部材を有し、当該車両載置部材は前記格納部に収容され、さらに前記本体装置には車両出入り部があり、入庫準備動作及び／又は出庫準備動作は、格納部に収容されている車両載置部材を前記車両出入り部の近傍まで移動させる動作であることを特徴とする請求項１乃至４のいずれかに記載の駐車装置。
【請求項６】
車両出入り部と外部との間に物理的障壁があり、所定の確認動作を経て前記物理的障壁が開放されるものであり、前記した所定の確認動作が行われる前に直接入力があった場合には直接入力に対応する入庫準備動作又は出庫準備動作が実行されることを特徴とする請求項５に記載の駐車装置。
【請求項７】
入庫準備動作又は出庫準備動作が完了したことを知らせる報知手段を有し、当該報知手段は、入庫準備動作又は出庫準備動作が完了した後、一定時間が経過した後に報知を行うものであることを特徴とする請求項１乃至６のいずれかに記載の駐車装置。
【請求項８】
車両が入庫された後、当該車両を所定の位置に移動させる車両移動動作が実行され、当該車両移動動作が完了した後、さらに続いて予約入力に基づく次の入庫準備動作又は出庫準備動作が開始されるものであり、直接入力がなされた場合には前記予約入力に基づく前記次の入庫準備動作又は出庫準備動作を中止して当該直接入力に対応する入庫準備動作又は出庫準備動作が実行され、その後に次の予約入力に基づく前記次の入庫準備動作又は出庫準備動作が実行されることを特徴とする請求項１乃至７のいずれかに記載の駐車装置。
【請求項９】
車両を載置する複数の車両載置部材を有し、車両の出庫が完了した後、前記車両載置部材を所定の位置に移動させる空部材移動動作が実行され、当該空部材移動動作が完了した後、さらに続いて予約入力に基づく次の入庫準備動作又は出庫準備動作が開始されるものであり、直接入力がなされた場合には前記予約入力に基づく前記次の入庫準備動作又は出庫準備動作を中止して当該直接入力に対応する入庫準備動作又は出庫準備動作が実行され、その後に次の予約入力に基づく前記次の入庫準備動作又は出庫準備動作が実行されることを特徴とする請求項１乃至８のいずれかに記載の駐車装置。
【請求項１０】
車両を載置する複数の車両載置部材を有し、前記車両載置部材を移動させる移動手段が有り、
各車両載置部材と、載置される車両及び／又は使用者が関連付けられており、
入庫準備動作及び／又は出庫準備動作は、前記移動手段によって車両及び／又は使用者に関連付けられた特定の車両載置部材を所定の位置に移動させる動作であることを特徴とする請求項１乃至９のいずれかに記載の駐車装置。
【請求項１１】
複数の予約入力に基づく予約を記憶する記憶手段を有し、直接入力が無い場合には、予約入力で入力された要求時刻の順に入庫準備動作又は出庫準備動作が実行されることを特徴とする請求項１乃至１０のいずれかに記載の駐車装置。
【請求項１２】
所定の要件を具備する場合には、入庫準備動作又は出庫準備動作が行われないことを特徴とする請求項１乃至１１のいずれかに記載の駐車装置。
【発明の詳細な説明】
【技術分野】
【０００１】
本発明は、乗用車等の車両を留め置く駐車装置に関するものである。特に本発明は、マンション等の建屋に付属する駐車装置や、立体駐車装置として好適である。
【背景技術】
【０００２】
限られた面積の土地を有効利用し、より多数の自動車を駐車させる装置として、機械式駐車装置が知られている。
機械式駐車装置は、自動車を立体的に駐車させる駐車装置である。代表的な機械式駐車装置は、自動車を載置するパレットと、このパレットを昇降させる昇降装置を有している。機械式駐車装置では、車両配置エリアに自動車を出し入れする車両出入り部がある。
そして車両出入り部から機械式駐車装置の車両配置エリアに自動車を導入し、パレットに自動車を載置し、パレットを昇降して所定の階に自動車を配置する。
またパズル式立体駐車装置と称されるものは、パレットを昇降させるだけでなく、パレットを横行させる機能も有している。
【０００３】
機械式駐車装置は、入り口に操作盤が設けられている場合が多い。
使用者は、自己の自動車を出庫する際に操作盤を操作して、自己の自動車が搭載されたパレットを車両出入り部に呼び出す。また自己の自動車を出庫する際に操作盤を操作して、特定のパレットを車両出入り部に移動させる。
一般に機械式駐車装置の車両出入り部には、ゲートが設けられており、当該ゲートを開閉する際にも操作盤が操作される。
【０００４】
特許文献１には、入庫予約を行う機能を備えた駐車システムが開示されている。特許文献１に開示された駐車システムでは、自動車が敷地外から駐車設備へ向かって近接すると、自動車からのＤＳＲＣ信号を入場側認証アンテナが受信し、この受信結果を入出庫制御装置に送信する。自動車が敷地内に入場したことが検知されると、自動車の車種や駐車設備の稼働状況等から、自動車を入庫させる入庫先と、入庫先として選択された駐車設備における格納スペースの割り当て先を選択する。そして、選択結果を予約データとして、入庫準備の予約テーブルに記憶する。
【０００５】
この後、自動車が駐車設備の付近に到着すると、設備前アンテナが自動車からのＤＳＲＣ信号を受信し、到着した自動車の車種を確認し、入庫可能か否かを判断する。
【先行技術文献】
【特許文献】
【０００６】
【特許文献１】特開２０１６−１８６１６９号公報
【特許文献２】特開平７−４２３８８号公報
【特許文献３】特開平７−４２３９３号公報
【特許文献４】特開２０１４−１３９３９１号公報
【発明の概要】
【発明が解決しようとする課題】
【０００７】
市場において、出庫予約や入庫予約をより広範に行うことができる駐車装置が要求されている。
すなわち駐車装置から自動車を出庫する際には、自己の自動車が載置されたパレットを車両出入口まで呼び出す必要がある。
従来技術においては、使用者が駐車装置の車両出入口まで足を運び、操作盤を操作して自己の自動車が搭載されたパレットを車両出入り部に呼び出す必要があった。
大規模な駐車装置では、収容している自動車の台数が多いので、操作盤を操作してから実際に自己の自動車が搭載されたパレットが車両出入り部に到達するのにある程度の時間を要する。
さらに高層マンションに付属する駐車装置や、マンション群の中に独立して設置された駐車装置等では、使用者が居住する位置と、駐車装置の車両出入口との間にある程度の距離がある。そのため自室を出てから駐車装置の操作盤の位置にたどりつくにもある程度の時間がかかる。
【０００８】
そのため、自室にいる内に、予め出庫の予約を行うことができれば便利である。例えばインターネット等を利用して出庫の予約を行い、使用者が駐車装置の車両出入口に到着した際に、自己の自動車が載置されたパレットが既に車両出入り部に到達していれば、操作盤への入力作業が軽減されるばかりでなく、パレット到達までの待ち時間を軽減することができる
【０００９】
外出から帰って駐車装置に入庫する場合も同様であり、入庫の予約が出来、帰宅した際に自己の自動車を載置するパレットが車両出入り部に既に到達していれば便利である。
【００１０】
しかしながらこの様な予約システムを採用すると、次の様な弊害が予想される。
すなわち使用者Ａが入庫や出庫の予約をしたが、使用者Ａが駐車装置に到着する前に、他の使用者Ｂが駐車装置に現れ、入庫や出庫を行なおうとする場合がある。
この場合、先に予約した使用者Ａの入庫や出庫が完了しなければ、他の使用者Ｂの自動車を入出庫することができない。
そのため先の到達した使用者Ｂは、予約した使用者Ａの到達や、入出庫の完了を待たなければならず、不満を持つこととなる。
【００１１】
本発明は、上記した問題点に注目し、入出庫の待ち時間を低減することが可能な駐車装置を開発することを課題とするものである。
【課題を解決するための手段】
【００１２】
上記した課題を解決するための態様は、車両を格納する格納部を複数有していて複数の車両を収容することが可能な本体装置と、前記本体装置の動作を制御する制御装置と、前記本体装置の近傍に設けられた入力装置と、外部装置から送信された信号を受信する通信手段を有し、前記入力装置を操作して車両の入庫及び／又は出庫の要求を行う直接入力が可能であると共に、前記入力装置及び／又は前記外部装置から入庫及び／又は出庫の予約入力を行うことが可能であり、前記予約入力に基づいて前記本体装置が入庫準備動作又は出庫準備動作を実行する駐車装置であって、前記予約入力がなされた状態の際に前記直接入力がなされた場合には、前記予約入力に基づく順に優先して前記直接入力に対応する入庫準備動作又は出庫準備動作が実行されることを特徴とする駐車装置である。
【００１３】
本態様の駐車装置では、本体装置の近傍に入力装置があり、当該入力装置を操作して、入庫準備動作又は出庫準備動作を行わせることができる。また本態様の駐車装置では、入庫や出庫の予約を行うこともできる。
加えて本態様の駐車装置は、予約に対して割り込みを行う機能を備えている。すなわち本態様の駐車装置では、予約入力がなされた状態の際に直接入力がなされた場合には、予約入力に基づく順に優先して入力装置から直接入力された要求を優先し、直接入力に対応する入庫準備動作又は出庫準備動作が実行される。
そのため本態様の駐車装置によると、予約した使用者よりも先に到着した使用者の待ち時間を短縮することができる。
【００１４】
上記した態様において、予約入力に基づく入庫準備動作又は出庫準備動作が開始された後に直接入力がなされた場合には、動作中の予約入力に基づく入庫準備動作又は出庫準備動作が完了した後に、直接入力に対応する入庫準備動作又は出庫準備動作が実行されることが望ましい。
【００１５】
本態様の駐車装置では、既に予約入力に基づく入庫準備動作又は出庫準備動作が行われている場合であっても、直接入力に対応する入庫準備動作等を行わせることができる。
【００１６】
上記した態様において、予約入力に基づいて行われる一連の工程が開始される前、及び／又は終了後に休止時間があり、直接入力がなされた場合には、前記休止時間の後に実行される予約入力に基づく工程を中断して直接入力に対応する入庫準備動作又は出庫準備動作が実行され、その後に、予約入力に基づく入庫準備動作又は出庫準備動作が再度実行されることが望ましい。
【００１７】
予約入力に基づく入庫準備動作又は出庫準備動作の再実行は、直接入力に対応する入庫準備動作又は出庫準備動作が実行された直後であっても、一定の時間が経過した後であってもよい。
また何らかの操作を挟んだ後に、予約入力に基づく入庫準備動作又は出庫準備動作の再実行を行ってもよい。
本態様によると、直接入力による入庫準備動作又は出庫準備動作を円滑に割り込ませることができる。
【００１８】
上記した態様において、前記休止時間を調整可能であることが望ましい。
【００１９】
休止時間の調整は、例えば入力装置によって行う。あるいは駐車装置の施工時やメンテナンス時に、別途用意の装置を使用して休止時間の調整を行う。
【００２０】
上記した態様において、車両を載置する車両載置部材を有し、当該車両載置部材は前記格納部に収容され、さらに前記本体装置には車両出入り部があり、入庫準備動作及び／又は出庫準備動作は、格納部に収容されている車両載置部材を前記車両出入り部の近傍まで移動させる動作であることが望ましい。
【００２１】
本態様によると、車両の入出庫を円滑に行うことができる。
【００２２】
上記した態様において、車両出入り部と外部との間に物理的障壁があり、所定の確認動作を経て前記物理的障壁が開放されるものであり、前記した所定の確認動作が行われる前に直接入力があった場合には直接入力に対応する入庫準備動作又は出庫準備動作が実行されることが望ましい。
【００２３】
本態様の駐車装置では、使用者の安全を確保するために車両配置領域と外部との間に、ゲート等の物理的障壁が設けられている。
そして使用者の安全を確保するために、例えば認証等の所定の確認動作を経ることを条件として物理的障壁が開放される。
本態様の駐車装置では、既に予約入力に基づく入庫準備動作又は出庫準備動作が完了した状態であっても、物理的障壁を開放するための確認動作が開始される前に直接入力がなされた場合には、直接入力に対応する入庫準備動作又は出庫準備動作が実行される。
本態様によって直接入力に対応する入庫準備動作等が実行される条件は、物理的障壁を開放するための確認動作が開始される前に直接入力がなされた場合であり、多くの場合、予約者が入力装置の前に到着していない。
そのため、直接入力による動作を割り込ませても、弊害は起きない。
またその後に、予約入力に基づく入庫準備動作又は出庫準備動作が再度実行されることが望ましい。
予約入力に基づく入庫準備動作又は出庫準備動作の再実行は、直接入力に対応する入庫準備動作又は出庫準備動作が実行された直後であっても、一定の時間が経過した後であってもよい。
また何らかの操作を挟んだ後に、予約入力に基づく入庫準備動作又は出庫準備動作の再実行を行ってもよい。
本態様によると、直接入力による場合を割り込ませた後で、予約入力に基づく入庫準備動作又は出庫が再度実行されるので、遅れて到着した予約者の待ち時間が不当に長くなることはない。
【００２４】
上記した態様において、入庫準備動作又は出庫準備動作が完了したことを知らせる報知手段を有し、当該報知手段は、入庫準備動作又は出庫準備動作が完了した後、一定時間が経過した後に報知を行うものであることが望ましい。
【００２５】
本態様によると、入庫準備動作又は出庫準備動作が完了したことを知らせる報知手段を有している。多くの場合、使用者は、報知手段によって所望のパレットが到着したことを知り、その後で物理的障壁を開放するための確認動作を行う。
本態様の駐車装置では、入庫準備動作又は出庫準備動作が完了した後、一定時間が経過した後に報知が行われる。そのため直接入力を行う時間的余裕を確保することができる。
【００２６】
上記した態様において、車両が入庫された後、当該車両を所定の位置に移動させる車両移動動作が実行され、当該車両移動動作が完了した後、さらに続いて予約入力に基づく次の入庫準備動作又は出庫準備動作が開始されるものであり、直接入力がなされた場合には前記予約入力に基づく前記次の入庫準備動作又は出庫準備動作を中止して当該直接入力に対応する入庫準備動作又は出庫準備動作が実行され、その後に次の予約入力に基づく前記次の入庫準備動作又は出庫準備動作が実行されることが望ましい。
【００２７】
本態様によると、車両が入庫された後、当該車両を所定の位置に移動させる車両移動動作が実行され、当該車両移動動作が完了した後さらに続いて予約入力に基づく次の入庫準備動作又は出庫準備動作が開始される。
本態様の駐車装置では、直接入力がなされた場合には予約入力に基づく次の入庫準備動作又は出庫準備動作を中止して当該直接入力に対応する入庫準備動作又は出庫準備動作が実行される。
本態様によると、直接入力による場合を割り込ませた後で、中止していた予約入力に基づく入庫準備動作又は出庫が再度実行されるので、遅れて到着した予約者の待ち時間が不当に長くなることはない。
【００２８】
上記した態様において、車両を載置する複数の車両載置部材を有し、車両の出庫が完了した後、前記車両載置部材を所定の位置に移動させる空部材移動動作が実行され、当該空部材移動動作が完了した後、さらに続いて予約入力に基づく次の入庫準備動作又は出庫準備動作が開始されるものであり、直接入力がなされた場合には前記予約入力に基づく前記次の入庫準備動作又は出庫準備動作を中止して当該直接入力に対応する入庫準備動作又は出庫準備動作が実行され、その後に次の予約入力に基づく前記次の入庫準備動作又は出庫準備動作が実行されることが望ましい。
【００２９】
本態様によると、車両の出庫が完了した後、前記車両載置部材を所定の位置に移動させる空部材移動動作が実行され、さらに続いて予約入力に基づく次の入庫準備動作又は出庫準備動作が開始される。
本態様の駐車装置では、直接入力がなされた場合には予約入力に基づく次の入庫準備動作又は出庫準備動作を中止して当該直接入力に対応する入庫準備動作又は出庫準備動作が実行される。
本態様によると、直接入力による場合を割り込ませた後で、中止していた予約入力に基づく入庫準備動作又は出庫が再度実行されるので、遅れて到着した予約者の待ち時間が不当に長くなることはない。
【００３０】
上記した態様において、車両を載置する複数の車両載置部材を有し、前記車両載置部材を移動させる移動手段が有り、各車両載置部材と、載置される車両及び／又は使用者が関連付けられており、入庫準備動作及び／又は出庫準備動作は、前記移動手段によって車両及び／又は使用者に関連付けられた特定の車両載置部材を所定の位置に移動させる動作であることが望ましい。
【００３１】
本態様によると、必要な車両載置部材を移動させて入庫準備動等を行うことができる。
【００３２】
上記した態様において、複数の予約入力に基づく予約を記憶する記憶手段を有し、直接入力が無い場合には、予約入力で入力された要求時刻の順に入庫準備動作又は出庫準備動作が実行されることが望ましい。
【００３３】
本態様によると、使用者の要求に沿って、円滑に入庫準備動作等を行うことができる。
【００３４】
上記した態様において、所定の要件を具備する場合には、入庫準備動作又は出庫準備動作が行われないことが望ましい。
【００３５】
例えば本体装置に複数の車両出入り部があり、車両を載置したパレットが既に車両出入り部にある場合は、新たに入庫準備動作や出庫準備動作を行う必要はない。
【発明の効果】
【００３６】
本発明の駐車装置によると、入出庫の待ち時間を低減することができる効果がある。
【図面の簡単な説明】
【００３７】
【図１】本発明の実施形態の駐車装置及びその周囲の様子を示す斜視図である。
【図２】本発明の実施形態の駐車装置の斜視図である。
【図３】図２の駐車装置に操作盤（入力装置）の斜視図である。
【図４】図２の駐車装置の制御装置の構成図である。
【図５】図４の制御装置内の予約テーブルに記憶されたデータを模式的に説明する説明図である。
【図６】予約に基づく一連の動作を説明するフローチャートである。
【図７】直接入力による割り込みを行う際のフローチャートである。
【図８】直接入力による割り込み後における一連の動作を説明するフローチャートである。
【発明を実施するための形態】
【００３８】
以下、本発明の実施形態に係る駐車装置１について、図面を参照しつつ詳細に説明するが、本発明はこれらの例に限定されるものではない。
【００３９】
本実施形態の駐車装置１は、図１、図２で示されるように、本体装置２と、操作盤（入力装置）３とを有している。また周辺機器として第１アンテナ４と、第２アンテナ５とを備えている。
【００４０】
本体装置２は、駐車装置１の機械構造部である。本体装置２は、機械式駐車装置の一形態であり、パズル式機械駐車場、或いは昇降横行式機械駐車場と称される形式の駐車装置である。
図２で示されるように、本体装置２は、４階建ての建造物であり、複数台の自動車（車両）を駐車可能に形成されている。
すなわち、本体装置２は、複数階（４階）の階層を有する車両配置エリア１０を有しており、この車両配置エリア１０にパレット（車両載置部材）１１が複数設けられている。それぞれのパレット１１は、車両搭載用の台部材であり、図示しない駆動機構によって左右方向と上下方向にパズル式に移動が可能となっている。すなわち本実施形態では、駆動機構として昇降装置と横行装置を備えている。
パレット１１は、常時、所定の格納部１６に留め置かれている。本実施形態では、図２の様に、各階に４枡の格納部１６がある。
また最上階を除く各階には、一枡だけパレット１１が配置されていない格納部１６がある。
なお、作図の都合上、パレット１１は、一部にのみ符号を付し、他への符号を省略する。
【００４１】
本実施形態の本体装置２では、各パレット１１は、各使用者が専用に使用するものである。例えばＡパレット１１は、藤田隆が専用に使用するパレット１１であり、藤田隆が所有する自動車が載置される。例えばＢパレット１１は、法人たる極東開発工業株式会社が専用に使用するパレットであり、当該法人が所有する自動車が載置される。
【００４２】
また車両配置エリア１０の地上階（１階）部分には、車両配置エリア１０に自動車を出入りさせる車両出入り部１２が設けられている。車両出入り部１２は、自動車の入出庫口となる部分であり、車両配置エリア１０と外部の境界となる部分である。
【００４３】
車両出入り部１２には、ゲート（物理的障壁）１５が設けられている。
ゲート１５は、図示しない昇降機構によって昇降可能に形成され、ゲート１５が上がった開状態と、ゲート１５が下がった閉状態とを切り替え可能となっている。
【００４４】
駐車装置１では、自動車の入庫時に所定の階の格納部１６に置かれていた特定のパレット１１が地上階へと移動し、いずれかの車両出入り部１２の奥側に待機した状態となる。すなわち自動車の入庫する際に、自己が使用するパレット１１を車両出入り部１２の近傍に呼び出す。
そしてパレット１１の手前側に位置する車両出入り部１２のゲート１５を開状態とした状態で、自動車をパレット１１の上に載置させる。続いて、ゲート１５を閉状態とすることで、入庫が完了する。
なお、ゲート１５を閉状態としたとき、必要に応じてパレット１１が所定位置まで自動で移動する。本実施形態の駐車装置１では、元の格納部１６に戻す車両移動動作が実行される。
【００４５】
これに対して自動車の出庫時には、自動車が載置されたパレット１１が地上階に位置していない場合、所定階の格納部１６にあったパレット１１を地上階まで移動する。すなわち自動車を出庫する際にも、自己が使用するパレット１１を車両出入り部１２の近傍に呼び出す。
そしてパレット１１の手前側に位置する車両出入り部１２のゲート１５を開状態とし、自動車をパレット１１の上から車両配置エリア１０の外部へ移動させる。続いて、ゲート１５を閉状態とすることで、出庫が完了する。
なお、ゲート１５を閉状態としたとき、必要に応じてパレット１１が所定位置まで自動で移動する。本実施形態の駐車装置１では、空パレット１１を元の格納部１６に戻す空部材移動動作が実行される。
【００４６】
つまり、車両配置エリア１０では、自動車を載置する各パレット１１の上側に、各自動車を収容する収容スペースが形成される。また、地上階の車両出入り部１２の奥側部分が、入出庫時に自動車が待機する車両待機部となり、自動車の乗降場となる。
【００４７】
操作盤３は、図２で示されるように、車両配置エリア１０のエリア外に設置された略直方体状の箱型構造物であり、制御基板等の各種機器を収容して形成されている。操作盤３は、図２の様に本体装置２の近傍に設けられており、入力装置として機能する。
この操作盤３は、内部に制御装置４５を備えている。また操作盤３は、液晶パネル等の表示手段や、テンキー、操作スイッチ等の入力手段を備えており、使用者が操作することで、本体装置２に入出庫に係る動作を実行させる。すなわち、上記したパレット１１を地上階へ移動させる動作や、ゲート１５を開閉させる動作を実施する。
【００４８】
具体的には、操作盤３には、図３の様に操作面がある。
操作盤３の操作面には、自己の自動車を取り出す際に、パレットの番号を入力したり、使用者を識別する使用者ＩＤやパスワード等を入力する入力手段３３がある。入力手段３３は、例えばテンキー、操作スイッチ等である。
また入力手段３３の上には、入力した番号や使用者ＩＤ等を表示する表示画面２２がある。表示画面２２には、駐車装置１の現在の運転状況も表示される。例えば、パレット１１が載置階から車両出入り部１２に移動中であること、車両出入り部１２に到達したこと（到着報知）等が表示される。またゲート開スイッチ３６の操作を促す表示もなされる。
【００４９】
操作面には、操作スイッチとして、ゲート開スイッチ３６、ゲート閉スイッチ３７、パレット呼び出しスイッチ３８がある。なお、表示画面２２をタッチパネルとし、入力手段３３や操作スイッチ３６〜３８を兼用するようにしてもよい。
【００５０】
操作盤３には、制御装置４５が内蔵されている。制御装置４５は、図４に示す様に本体装置２の各動作を制御する制御部３０を有している。制御部３０は、図４で示されるように、ＣＰＵ等の演算部３１と、記憶部３２と、通信部３３を備えたものとなっている。
【００５１】
演算部３１は、各種入力に基づいて、記憶部３２に記憶されたプログラムを読み取りつつ実行することで各種演算や制御信号の生成を行う部分である。
【００５２】
記憶部３２は、各種プログラムやデータを記憶するＲＯＭ、各種プログラムを一時的に記憶したり各種データを書き換え自在に記憶したりするＲＡＭからなる主記憶装置を備えており、必要に応じて補助記憶装置がさらに設けられて形成される。なお、補助記憶装置としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等が採用できる。
【００５３】
通信部（通信手段）３３は、外部装置の機器や基板に対し、有線又は無線による双方向通信を可能とするインターフェースを有する。また、この通信部３３は、バス等の伝送路を介して演算部３１と接続されている。また本実施形態では、インターネットを介して外部の装置と通信することができる。例えば外部の通信端末と通信することができる。外部の通信端末には、パソコンの他、携帯電話やタブレット等の携帯端末４６が含まれる。本実施形態では、図２の様に予約者たる使用者Ａが持つ携帯端末４６が外部装置として機能する。
さらに本実施形態では、この通信部３３により、操作盤３が本体装置２に設けられた各種機器や基板と信号の送受信が可能となっている。また、第１アンテナ４、第２アンテナ５から送信された信号を受信可能となっている。
【００５４】
ここで記憶部３２には、データベースが記憶されており、各テーブルに情報を記憶することが可能となっている。具体的には、登録用テーブル４０と、予約テーブル４３のそれぞれに規定された情報を記憶することができる。
【００５５】
登録用テーブル４０には、それぞれのパレット１１に個別に割り当てられた番号であるパレット番号と、使用者を識別する使用者ＩＤが関連付けて記憶されている。
【００５６】
具体的に説明すると、本実施形態の駐車装置１は、本体装置２の使用者を識別するための情報として、各使用者に使用者ＩＤが付与されている。
そして本実施形態の駐車装置１では、運用開始前に、本体装置２の使用権限を有する者の使用者ＩＤと、特定のパレット１１のパレット番号を関連付けて記憶させておく。パレット番号は、実質的には、当該使用者が使用権を有する格納位置に関する情報である。
【００５７】
予約テーブル４３には、入庫及び出庫の予約と予約した使用権者の使用者ＩＤと、予約した者が使用権を有するパレット１１のパレット番号が関連付けて記憶されている。
【００５８】
次に、駐車装置１の機能について説明する。
本実施形態の駐車装置１では、図２の使用者Ｂの様に、使用者が前記した操作盤３を直接操作して、自動車の入庫及び出庫を行うことができる。また本実施形態の駐車装置１では、使用者Ａの様に操作盤３から離れた位置から携帯端末４６等の外部装置を利用して、入庫及び出庫の予約を行うことができる。
【００５９】
最初に、使用者が操作盤３を直接操作して、自動車の入庫や出庫を行う場合の動作について説明する。
例えば使用者Ｃの自動車がＣパレット１１に載置され、当該Ｃパレット１１が駐車装置１の所定の格納部１６に収容されている状態であり、使用者Ｃが自動車を出庫する場合について説明する。
使用者Ｃが出庫を希望する際には、操作盤３の前に立ち、操作盤３の入力手段を操作して、Ｃパレット１１を呼び出す。具体的には、入力手段に自己の使用者ＩＤや暗証番号等を入力し、パレット呼び出しスイッチ３８を操作する。
【００６０】
その結果、制御装置４５からの指令により、駐車装置１が出庫準備動作を実行する。
出庫準備動作は、特定階の特定の格納部１６にあるＣパレット１１を地上階に降下させ、いずれかの車両出入り部１２のゲート（物理的障壁）１５の前に到達させる動作である。
本実施形態の駐車装置１は、前記した様にパズル式機械駐車場、或いは昇降横行式機械駐車場と称される形式の駐車装置であり、駆動機構として昇降装置と横行装置を備えている。また最上階を除く各階には、一枡だけパレット１１が配置されていない格納部１６がある。
例えば最上階に目的のＣパレット１１がある場合には、その下の３階、２階、１階にあるパレット１１を横行装置で脇に寄せ、Ｃパレット１１の下部の降下通路を空ける。そして昇降装置で、最上階のＣパレット１１を地上階に降下させる。
目的のＣパレット１１が、３階や２階の様な中間階にある場合も同様であり、その下のパレット１１を横行装置で脇に寄せ、Ｃパレット１１の下部の降下通路を空け、昇降装置で、最上階のＣパレット１１を地上階に降下させる。
目的のＣパレット１１が、地上階にあり、すでに車両出入り部１２のゲート（物理的障壁）１５の前にある場合には、出庫準備動作は省略される。
【００６１】
出庫準備動作が完了し、目的のＣパレット１１が車両出入り部１２に到達すると、その旨が操作盤３の表示画面２２に表示される。その後、暗証番号の入力と、ゲート開スイッチ３６の操作を促す表示がなされる。
使用者がゲート開スイッチ３６を操作すると、ゲート（物理的障壁）１５が上昇し、物理的障壁が解消する。
使用者は、車両出入り部１２に入って自動車に乗車し、自動車を発進させて自動車を出庫させる。
その後、確認のために、暗証番号等を再入力し、ゲート閉スイッチ３７を操作すると、ゲート１５が降下して、車両出入り部１２の入り口を閉じる。
その後、空のＣパレット１１を元の格納部１６に戻す空部材移動動作が自動的に実行される。
【００６２】
使用者が操作盤３を直接操作して、自動車を入庫する場合も同様であり、操作盤３の前に立ち、操作盤３の入力手段を操作して、空のＣパレット１１を呼び出す。呼び出し方法は、出庫する場合と同様であり、入力手段に自己の使用者ＩＤ等を入力し、パレット呼び出しスイッチ３８を操作する。
【００６３】
その結果、制御装置からの指令により、駐車装置１が入庫準備動作を実行する。
入庫準備動作は、特定階の特定の格納部１６にある空のＣパレット１１を地上階に降下させ、いずれかの車両出入り部１２のゲート（物理的障壁）１５の前に到達させる動作である。
目的のＣパレット１１が、地上階にあり、すでに車両出入り部１２のゲート（物理的障壁）１５の前にある場合には、入庫準備動作は省略される。
【００６４】
入庫準備動作が完了し、空Ｃパレット１１が車両出入り部１２に到達すると、その旨が操作盤３の表示画面２２に表示される。その後、ゲート開スイッチ３６の操作を促す表示がなされる。
使用者がゲート開スイッチ３６を操作すると、ゲート（物理的障壁）１５が上昇し、物理的障壁が解消する。
使用者は、車両出入り部１２の外部に停車中の自動車に乗車し、自動車を発進させて自動車を入庫させる。
その後、確認のために、暗証番号等を再入力し、ゲート閉スイッチ３７を操作すると、ゲート１５が降下して、車両出入り部１２の入り口を閉じる。
ゲート１５が閉じると、車両移動動作が実行される。車両移動動作は、自動車が載置されたＣパレット１１を元の階の所定の格納部１６に戻す動作である。
具体的には、昇降装置で、地上階のＣパレット１１を本来の収容階に上昇させる。
【００６５】
また本実施形態の駐車装置１では、入庫及び出庫の予約を行うことができる。
本実施形態では、使用者の自宅のパソコンや、携帯端末４６等の外部装置を利用して予約を行う。なお本実施形態では、操作盤３を利用して入庫及び出庫の予約を行うこともできる。
携帯端末４６等の外部装置を利用して行う予約は、例えばインターネット等を介して行われる。本実施形態では、インターネットを利用して携帯端末４６と制御装置４５を接続し、携帯端末４６から制御装置４５の入庫や出庫の予約を行う。あるいは、インターネット等を介して管理会社の制御装置と携帯端末４６と接続し、管理会社の制御装置に予約にしてもよい。この場合には、管理会社の制御装置から駐車装置１の制御装置４５に予約データが転送される。
【００６６】
携帯端末４６等を利用して予約を行う場合には、最初に駐車装置１を特定する入力を行う。例えば、駐車装置１を特定する識別番号や記号がある場合にはそれらを入力する。住所等から駐車装置１を特定することも考えられる。
次に、使用者ＩＤと暗証番号等を入力する。
続いて、予約の内容を入力する。
すなわち、入庫、出庫の別、入庫時刻又は出庫時刻等を入力する。日付が変わる場合には、入庫日、出庫日も入力する。
入庫時刻等に代わって、現在時刻から入庫時刻等までの希望時間を入力してもよい。例えば、５分後、１０分後、いますぐという様な入力が可能であることが望ましい。
【００６７】
所定の項目の入力が完了すると、予約テーブル４３にその情報が記憶される。
前記した予約テーブル４３には、例えば図５の様に、入出庫の別、使用者名、使用者ＩＤ、入出庫時刻が記憶される。
【００６８】
そして予定時刻の順に入庫準備動作又は出庫準備動作が実行される。
以下、図６のフローチャートを参照しつつ、予約に基づく通常動作について説明する。フローチャートに従うと、ステップ１で先に行われた入庫及び出庫が既に完了していることが確認される。
そしてステップ２に移行し、予約テーブル４３を参照し、予約テーブル４３に記録された予約データから、予定時刻が最も早いものを抽出する。図５の予約テーブルに従うと、村松の入庫予定が８時２０分であり、最も早い。
本実施形態では、予約テーブル４３から予定時刻が最も早いものを抽出した後、予定時刻になったら（予定時刻から所定時間さかのぼった時刻、例えば５分前とし、入庫準備動作を実行するための時間を確保してもよい）、一定の休止時間が置かれる。休止時間は数秒程度である。この休止時間は、操作盤３からの直接入力による割り込みを円滑に行わせるために設定されたものである。
休止時間は、操作盤（入力装置）３を操作することによって調整することができる。多くの場合、施工時あるいはメンテナンス時にメンテナンス要員等が、操作盤（入力装置）３を操作して休止時間を調節する。
【００６９】
そしてステップ３で休止時間が終了したことが確認されると、ステップ４に移行し、パレット（番号３）１１の呼び出し動作が開始される。今回の呼び出しは、空パレット（番号３）１１を呼び出すものであり、ステップ４で入庫準備動作が行われる。
【００７０】
例えばステップ４では、所定の階に置かれた村松が使用権を有するパレット（番号３）１１が空状態で降下する。そして車両出入り部１２に到達する。パレット（番号３）１１が、車両出入り部１２に到達したことがステップ５で確認されると、一定の休止時間が置かれる。休止時間は数秒程度である。この休止時間についても、操作盤３からの直接入力による割り込みを円滑に行わせるために設定されたものである。
そしてステップ６で休止時間が終了したことが確認されると、ステップ７に移行し、表示画面２２に車両出入り部１２に到達したこと（到着報知）が表示される。また暗証番号の入力を促す表示や、それに続いてゲート開スイッチ３６の操作を促す表示もなされる。
【００７１】
実際には、駐車装置１は、ステップ７の表示画面２２に車両出入り部１２に到達したこと（到着報知）が表示された状態でしばらくの間停止し続けることとなる。
すなわち上記した一連の動作は、予約に基づいて自動的に実行される動作であり、多くの場合、予約した使用者（村松）は駐車装置１に到着していない。
そのため所定のパレット（番号３）１１が降下し、車両出入り部１２に到達した状態で、予約した使用者（村松）の到着を待つこととなる。
【００７２】
使用者（村松）が駐車装置１に到着すると、使用者は表示画面２２の表示に従い、暗証番号を入力し、ゲート開スイッチ３６を操作することとなる。暗証番号（村松が登録したもの）の入力と、ゲート開スイッチ３６を操作したことがステップ８、ステップ９で確認されると、ステップ１０に移行し、暗証番号等が合致しているか否かが確認される。
暗証番号が正しければステップ１１に移行し、ゲート（物理的障壁）１５が駆動し、ゲート１５が開く。ゲート１５が開いたことはステップ１２で確認される。
暗証番号等が誤っていればステップ７に戻り、再度、暗証番号の入力を促す表示や、それに続いてゲート開スイッチ３６の操作を促す表示が表示画面２２に表れる。
使用者（村松）は、停車中の自動車に乗車し、自動車を発進させて自動車を車両出入り部１２に入庫する。
【００７３】
入庫が終わると、使用者（村松）によってゲート１５が閉じられる。
すなわちステップ１２でゲート１５が開いたことが確認されると、ステップ１３に移行する。ステップ１３では、暗証番号（村松が登録したもの）の入力を促す表示や、それに続いてゲート閉スイッチ３７の操作を促す表示が表示画面に表れる。
【００７４】
使用者が行う作業として指示に従い、暗証番号を入力し、ゲート閉スイッチ３７を操作する。暗証番号の入力と、ゲート閉スイッチ３７を操作したことがステップ１４、ステップ１５で確認されると、ステップ１６に移行し、暗証番号等が合致しているか否かが確認される。
暗証番号等が誤っていればステップ１３に戻り、再度、暗証番号の入力を促す表示や、ゲート閉スイッチ３７の操作を促す表示がなされる。
暗証番号が正しければステップ１７に移行し、ゲート（物理的障壁）１５が駆動し、ゲート１５が閉じられる。ゲート１５が閉じたことがステップ１８で確認されると、ステップ１９に移行し、パレット（番号３）１１を所定の位置に戻す。パレット（番号３）１１が所定の位置に戻ったことが確認されると、ステップ２０に移行し、入庫・出庫が完了したことを示す信号が出され、ステップ１に戻る。
【００７５】
ステップ１では、先に行われた入庫及び出庫が既に完了していることが確認される。
そしてステップ２に移行し、予約テーブル４３を参照し、予約テーブル４３に記録された予約データから、予定時刻が最も早いものを抽出する。図５の予約テーブルに従うと、江戸川のパレット（番号１１）１１に載置された自動車の出庫予定が９時１０分であり、現在のところでは最も早い。
そのため、時刻が９時１０分となると江戸川のパレット（番号１１）１１に対して出庫準備動作が行われる。
江戸川のパレット（番号１１）１１に対する出庫が完了すると、次の井出のパレット（番号８）１１に対して出庫準備動作が行われる。
【００７６】
また本実施形態の駐車装置１では、入庫及び出庫の予約に対して、割り込みを行うことができる。
すなわち使用者が前記した操作盤３を直接操作した場合には、予約に優先して直接操作によって要求された動作が行われる。
割り込みが実行される時期は、本体装置２の駆動機構が停止しており、且つゲート１５が閉じている場合である。予約した使用者が操作盤３を操作した後は、一連の入出庫が完了するまで割り込みは実行されない。
すなわち本体装置２の駆動機構が動いている際は、動作が中途となり、パレット１１の位置を確定しにくいので、割り込みを実行しないほうが望ましい。ゲート１５が開いている際には、安全を確保するために割り込みを実行しないほうが望ましい。
【００７７】
図７のフローチャートに従うと、前記した図６のフローと平行して、常時、操作盤３からの直接入力の有無を監視している。
ステップ３０で、操作盤３から直接入力が確認されると、ステップ３１、ステップ３２で、現状の駐車装置１の動作段階が、予約パレット１１の呼び出し動作が実施されている最中であるか否か、或いは予約した使用者が操作盤３を操作した後であるか否かが判断される。
【００７８】
予約パレット１１の呼び出し動作が実施されている状態の様な駆動機構が動いている場合や、予約した使用者が操作盤３を操作した後である場合には、前記した様に割り込みを実行するべきではない。そのため、ステップ３１で、予約パレット１１の呼び出し動作が実施されている最中であると判断された場合や、ステップ３２で、予約した使用者が操作盤３を操作した後である場合には、割り込み動作を行わず、割り込みが可能となる時期を待つ。
【００７９】
本実施形態では、ステップ３３で一連の入庫・出庫動作が完了したか否かを判断する。またステップ３４で、休止時間（ステップ３、ステップ６）に入ったか否かを判断する。ステップ３３、ステップ３４のいずれかがＹＥＳとなれば、ステップ３５に移行して割り込み動作が開始される。
【００８０】
またステップ３１、ステップ３２がいずれもＮＯであり、予約パレットの呼び出し動作が実施されている状態でなく、且つ予約した使用者が操作盤３を操作した後ではない場合には、ステップ３５に移行して割り込み動作が開始される。
【００８１】
割り込み動作は、図８のフローチャートの通りである。割り込み動作が開始されると、ステップ３６に移行し、割り込みのパレット１１を移動させる車両出入り部１２が空いている否かが判断される。
仮に割り込みのパレット１１の移動先が空いていれば、割り込みパレット１１が呼び出される。割り込みパレット１１を呼び出す動作は、実質的に図６のフローチャートのステップ４以下と同じである。
【００８２】
一方、先の予約が実行され、予約されたパレット１１が、割り込みパレット１１が降下すべき車両出入り部１２に止まっている場合がある。すなわち、入庫準備動作又は出庫準備動作が完了し、呼び出されたパレット１１が、車両出入り部１２に到達しているが、予約者が未だ駐車装置１に到着しておらず、入庫や出庫が行われていない場合がある。この場合は、割り込みのパレット１１を呼び出すよりも先に、車両出入り部１２に止まっている、予約されたパレット１１を一旦、元に位置に戻す必要がある。
そのためステップ３６で、割り込みのパレット１１の移動先が詰まっている場合には、ステップ３７に移行して、予約されたパレット１１を一旦、元の格納部１６に戻す。予約されたパレット１１が所定の位置に戻ったことが確認されると、ステップ３６がＹＥＳとなり、割り込みパレット１１を呼び出す動作が開始される。
【００８３】
また割り込み動作が完了すると、図６のステップ１に戻る。そのため予約動作によって車両出入り部１２に一旦移動し、割り込みのために、元の位置に戻された予約されたパレット１１に対して、再度、呼び出し動作が実行され、予約されたパレット１１は再度車両出入り部１２に移動する。
【００８４】
以上説明した実施形態では、ステップ２の予約テーブル４３に記録された予約データから、予定時刻が最も早いものを抽出した後の休止時間中にも直接入力に基づく割り込みが実行される。このタイミングは、一連の工程（入庫準備動作又は出庫準備動作）が実際に開始される前の時期である。
またステップ５のパレット１１が、車両出入り部１２に到達した後の休止時間中にも直接入力に基づく割り込みが実行される。このタイミングは、一連の工程の終了後の時期である。
【００８５】
以上説明した実施形態では、前記した様に休止時間を設定した。この理由は、複数の予約入力の予定時間の間隔が短かったり、予約時刻が重複している様な場合に、本体装置２の駆動機構が連続的に休みなく起動することが想定され、実質的に割り込みができなくなってしまうことがあるからである。
本実施形態では、一つの工程と次の工程との間に、故意に休止時間を設定し、その間に直接入力の割り込みを行わせることにより、割り込みを行うことができるタイミングを確実に確保することができる。
【００８６】
また以上説明した実施形態では、入庫や出庫が終わると、直ちに次の予約を実行する構成を採用したが、例えば、一回の入庫や出庫が終わった後、次の予定時刻の間に長い時間がある場合には、予定時刻が近づいた時点で予約に基づく入庫準備動作や出庫準備動作を実行してもよい。例えば予定時刻に対して一定時間前に、入庫準備動作や出庫準備動作を開始してもよい。
この構成を採用する場合には、予定時刻に近づくまでの間、自由に直接入力による割り込みを行うことができる。
【００８７】
また一定の期間は、直接入力を受け付けない構成も推奨される。
例えば、入庫準備動作や出庫準備動作が実行されている最中や、パレット１１を戻す動作中、あるいはゲート１５が開いている間は、直接入力を受け付けない。
【００８８】
携帯端末４６等からに予約に加えて、第１アンテナ４及び第２アンテナ５から送信された信号に基づいて自動予約を行ってもよい。
例えば、第１アンテナ４及び第２アンテナ５を通過した際に、ＥＴＣ車載器の管理番号（ＥＴＣ車載器番号）を認識させ、この情報を制御部３０に送信する。
第１アンテナ４及び第２アンテナ５を通過した自動車であって、登録用テーブル４０に等録されている自動車は、駐車装置１に入庫される可能性が高い。そのため第１アンテナ４及び第２アンテナ５を通過した車両の管理番号（ＥＴＣ車載器番号）から、パレット１１を特定し、予約テーブル４３に登録する。
この場合の予約時刻は、第２アンテナ５から駐車装置１に到達するのに要する時間を現在時刻に加えたものとすることが望ましい。
【００８９】
また予約時刻がある程度の時間過ぎても予約した使用者が操作盤３の操作を行っていない場合には、予約を強制的にキャンセルして次の予約入力に対応する動作をさせてもよい。
【００９０】
また、制御装置４５は２以上の制御装置を組み合わせてもよい。この場合、駐車装置１の入出庫を実行するための制御装置と、予約のための制御装置（第１アンテナ４、第２アンテナ５やインターネットと接続）とに分割することにより既存の駐車装置１から安価に製造できたり、設置済みの駐車装置１に予約機能を容易に付加することができる。
【００９１】
上記した実施形態では、本体装置として、所謂多段式（垂直横行式）の本体装置２を採用した例について説明したが、本発明で採用する本体装置はこれに限るものではない。例えば、本発明の本体装置は、単純昇降式の立体駐車場や、所謂タワー式の立体駐車場、すなわち、所謂エレベータ式の立体駐車場や、所謂垂直循環式の立体駐車場であってもよい。また、この他、車両配置エリアの一部が地下に設けられた立体駐車場であってもよい。さらに、立体構造を有さない平面循環式の駐車場であってもよい。
すなわち、上記した入庫準備動作は、入庫のために必要な各動作の少なくとも一部を自動で実行する動作であればよい。
【符号の説明】
【００９２】
１  駐車装置
２  本体装置
３  操作盤（入力装置）
１１  パレット（車両載置部材）
１２  車両出入り部
１５  ゲート（物理的障壁）
１６  格納部
３３  通信部（通信手段）
４５  制御装置
４６  携帯端末（外部装置）
【図１】
2020193501.tif 000003
【図２】
2020193501.tif 000004
【図３】
2020193501.tif 000005
【図４】
2020193501.tif 000006
【図５】
2020193501.tif 000007
【図６】
2020193501.tif 000008
【図７】
2020193501.tif 000009
【図８】
2020193501.tif 000010